(57)【要約】 【課題】ＤＩＮレールに取付可能な電気機器を少数取り付ける場合でも簡単に取り付けることができる安価な取付装置を提供することを目的とする。【解決手段】底部にＤＩＮレールに取り付けるための一対の係合手段（３、５）を有する電気機器（１）を取り付けるための取付装置（２０）において、ケース（２）を取り付ける平板状の機器取付面（２１）と、取付装置（２０）を配電盤（８）に取り付けるための機器取付面（２１）と連続して形成される盤取付面（２２）とを有し、機器取付面（２１）の対向する端縁には互いにＤＩＮレールのレール幅と同じ寸法のピッチを有する電気機器（１）の係合手段（３、５）が係合する係合縁（２５、２６）が形成され、該対向する係合縁（２５、２６）のそれぞれには係合手段（３、５）と係合して係合縁（２５、２６）に沿って電気機器（１）が移動することを阻止する係止手段が形成されている。【選択図】 図２
2006333644.tif 000002
【特許請求の範囲】
【請求項１】
底部にＤＩＮレールに取り付けるための一対の係合手段を有する電気機器を取り付けるための取付装置において、
前記電気機器を取り付ける平板状の機器取付面及び該機器取付面と連続して形成される前記取付装置を取り付ける盤取付面を有し、
前記機器取付面の対向する端縁にはＤＩＮレールのレール幅と同じ寸法のピッチを有する前記電気機器の前記係合手段が係合する係合縁が形成され、該対向する係合縁のそれぞれには電気機器の前記係合手段と係合して前記係合縁に沿って電気機器が移動することを阻止する係止手段が形成されていることを特徴とする電気機器の取付装置。
【発明の詳細な説明】
【技術分野】
【０００１】
本発明は、電気機器の取付装置、特にＤＩＮレールに取り付けることができる電気機器の取付装置に関する。
【背景技術】
【０００２】
ＤＩＮレールは、電気機器などを簡単に取り付けることができるように、ドイツのＤＩＮ規格に基づいた寸法で製造されるレールであり、実開平５−９５０２９号公報にはＤＩＮレールに電気機器を取り付ける技術の例が開示されている。
図１は、ＤＩＮレールに取り付けられる電気機器の一例を示しており、この電気機器１は幅寸法がＷ１なる成型絶縁物製のケース２を有し、ケース２にはＤＩＮレールに取り付けるための二つの係合手段が設けられている。
ケース２の底部右端部に設けられている一方の係合手段３は、外幅がケース２の幅と同寸であって２列に分割されるようにケース２と一体に形成されており、その左端部はケース２の底面と協働して側面から見たとき鋭角状の係合凹部３ａを形成している。
また、ケース２の底部左端部に設けられている他方の係合手段５は、外幅がケース２の幅と同寸なるようにコ字状に曲げられた板金製部材であってばね４によって右方向へ付勢されており、その右端部の両側にはケース２の底面と協働して側面から見たとき鋭角状の係合凹部５ａが形成されている。
【０００３】
図５はＤＩＮレール６に２台の電気機器１を取り付けた状態を示している。ＤＩＮレール６は、その断面が、コ字状の部分とこのコ字状の両端部から外向きに直角方向に折り曲げられた部分を有する形状となっている。この直角方向に折り曲げられた部分は機器取付面６ａと機器取付面６ｂであって、両取付面の端縁間の寸法すなわちレール幅Ｗは規格で定められている寸法である。そして、長手方向の両端付近の２箇所（長いレールの場合は適宜追加的に中間点）で断面コ字状の部分の底部においてねじ７によって配電盤８に取り付けられる。
【０００４】
上述した電気機器１をＤＩＮレール６に取り付けるときは、まず、機器取付面６ａの端縁に係合手段３の係合凹部３ａをはめ、次に、機器取付面６ｂの端縁に係合手段５の係合凹部５ａをはめる。
なお、係合手段５の係合凹部５ａをはめるときは、電気機器１をＤＩＮレール６に押し付けるだけでよい。すなわち、押し付けることによって機器取付面６ｂの端縁が係合手段５の傾斜縁５ｂを相対的に摺動して、ばね４に抗して、図１において、係合手段５を左方向へ移動させる。そして、機器取付面６ｂの端縁が傾斜縁５ｂの先端部を乗り越えたとき係合手段５が右方向に復帰して、係合手段５の係合凹部５ａが機器取付面６ｂの端縁にはまりこむ。
このようにＤＩＮレールは電気機器１の取付が簡単であるため、ＤＩＮレールに取付可能な多種多数の汎用電気機器１が廉価で市販されている。  
【０００５】
【特許文献１】実開平５−９５０２９号公報
【発明の開示】
【発明が解決しようとする課題】
【０００６】
しかし、例えば振動が多い環境においては、ＤＩＮレールに取り付けられた電気機器１がレールの長手方向へスライド移動することがある。このようなスライド移動を防止するため、図５に示されているように、２台の電気機器１を一括して挟んで固定する一対のスライド防止部材が必要になる場合があった。図５に示されているスライド防止部材は、いずれも板金加工部材で図５をＡから見たとき断面がコ字状のレール側部材９と固定部材１０とねじ１１とからなる。この固定部材１０は、その両脚１２がレール側部材９に形成された孔を貫通してその先端がＤＩＮレール６に接触するように組み合わされている。したがって、固定部材１０に形成された孔を貫通しているねじ１１をレール側部材９に形成されためねじにねじ込むと、レール側部材９が図５（ｂ）において左方向へ移動する。その結果、レール側部材９に形成された一対の鋭角状の係合凹部がＤＩＮレール６の機器取付面６ａ及び機器取付面６ｂと係合し、レール側部材９と固定部材１０の両方がＤＩＮレール６に固定される。
【０００７】
電気設備では１本のＤＩＮレールに電気機器を集中させて取り付ける場合が多く、このような場合は一対のスライド防止部材で多数の電気機器を一括して挟みつければよいため、電気機器１台あたりの経費は小さくてすむ。
しかし、電気機器を１個や２個などごく少数ごとに分散させて取り付ける場合も少なくない。このような場合、ＤＩＮレールを利用すれば、少数の電気機器ごとに一対のスライド防止部材を用意する必要があった。
【０００８】
したがって、本願発明はＤＩＮレールに取付可能な電気機器を少数取り付ける場合でも簡単に取り付けることができる安価な取付装置を提供することを目的とする。
【課題を解決するための手段】
【０００９】
上記の問題を解決するために、請求項１の発明は、底部にＤＩＮレールに取り付けるための一対の係合手段を有する電気機器を取り付けるための取付装置において、電気機器を取り付ける平板状の機器取付面及び該機器取付面と連続して形成される取付装置を取り付ける盤取付面を有し、機器取付面の対向する端縁にはＤＩＮレールのレール幅と同じ寸法のピッチを有する電気機器の係合手段が係合する係合縁が形成され、該対向する係合縁のそれぞれには電気機器の係合手段と係合して係合縁に沿って電気機器が移動することを阻止する係止手段が形成されていることを特徴としている。
【発明の効果】
【００１０】
請求項１の発明は、少数の電気機器を取り付ける場合、電気機器の幅方向のスライド移動を阻止するための特別な阻止部材を必要とせず、簡単な形状の部材で取付装置を構成できるため取付装置自体安価に製造できるという効果を奏する。
【発明を実施するための最良の形態】
【００１１】
本発明の実施の形態を、図２ないし図４に示されている実施例において説明する。図２は図1の電気機器１を１台取り付けられるように構成されている実施例１を示している。
この実施例１の電気機器の取付装置２０は機器取付面２１とケース２の側面に沿うように機器取付面２１から直角曲げされた盤取付面２２とを有する板金加工品である。
【００１２】
機器取付面２１の右端部には、機器取付面２１から直角に曲げられた補強片２４が形成されており、直角曲げされる前に形成されていた矩形の２個の孔２３が、機器取付面２１から補強片２４にかけて位置している。２個の孔２３には電気機器１の一対の係合手段３の左先端部が嵌めこまれる。すなわち、孔２３は、その機器取付面２１の平面部に位置する前縁が電気機器１の一対の係合手段３との係合縁２５となり、且つ、前縁の両端から立ち上がる孔２３の側縁は係合手段３の側部と係合して電気機器1が幅方向に移動しないように形成されている。
また、機器取付面２１の左縁であって、係合縁２５とＤＩＮレールのレール幅Ｗに相当する間隔をもって対向する部分には、電気機器１の係合手段５との係合縁２６が形成されている。係合縁２６は、電気機器１が幅方向に移動しないような寸法の幅で切り欠かれた形状となっている。
【００１３】
一方、盤取付面２２には、その中央部に形成された取付ねじ用の孔２７と縁部に直角に折り曲げて形成された回り止め片２８が設けられている。
【００１４】
このような構成の実施例の取付装置２０を利用して電気機器１を配電盤８に取り付けるときは、あらかじめ配電盤８に回り止め片２８の幅よりわずかに大きい方形の孔８ａ及び取付ねじ用のめねじ８ｂを形成しておく。次に、孔８ａに回り止め片２８を嵌め込み、取付ねじ２９を孔２７を挿通させてめねじ８ｂにねじ込んで取付装置２０を配電盤８に取り付ける。そして、ＤＩＮレールに取り付けるのと同様の方法で、電気機器１の係合手段３を係合縁２５に係合させ、係合手段５を係合縁２６に係合させればよい。
【００１５】
このように取り付けた電気機器１は、係合縁２５及び係合縁２６がそれぞれ係合手段３及び係合手段５のそれぞれ係合凹部３ａ及び係合凹部５ａに嵌まり込み、且つ、係合手段３及び係合手段５がそれぞれ係合縁２５及び係合縁２６の両端部から立ち上がるそれぞれ孔２３の側縁及び係合縁２６の切欠き縁と係合するため、幅方向にスライドすることはない。また、取付装置自体はねじ１本で簡単に取り付けることができる。
【００１６】
なお、この実施例１では、盤取付面２２は機器取付面２１から直角曲げされているが、図２（ｃ）において（２２）なる符号を付して鎖線で示されているように逆方向に直角に曲げられてもよい。また、機器取付面２１と盤取付面２２は互いに平面状態で形成されてもよいし、直角以外の適当な角度で曲げられてもよい。
【００１７】
また、補強片２４は補強のため補助的に形成されたものであって、補強片２４を省略して、孔２３の代わりに係合縁２６と同様な切欠き形状の係合縁を形成してもよい。そのような係合縁３０を有する第２実施例が図３（ａ）に、又、凸部３１ａの両側に係合縁３１を有する第３実施例が図３（ｂ）に示されている。
【００１８】
図４は、２台の電気機器１を併置する場合の第４の実施例の取付装置３２が示されている。この取付装置３２は、前述の第３の実施例に準ずる取付装置であって、２台の電気機器１を取り付けられるようにしたものである。すなわち、２台の電気機器１の係合凹部３ａに嵌まり込む係合縁３３を第３の実施例の係合縁３１が連続するように形成し、２台の電気機器１の係合凹部５ａに嵌まり込む係合縁３４を第１の実施例の係合縁２６の倍の幅を有するように形成したものである。このような構成により、２台の電気器を密着して取り付けでき、且つ、それらが幅方向にスライドすることがないことは説明するまでもない。
【図面の簡単な説明】
【００１９】
【図１】本発明による電気機器の取付装置に取り付けられる電気機器の例を（ａ）側面から見た図、及び（ｂ）底面から見た図である。
【図２】本発明による電気機器の取付装置の実施例１を（ａ）側面から見た図、（ｂ）底面から見た図、及び（ｃ）図２の（ｂ）を矢印から見た図である。
【図３】本発明による電気機器の取付装置の（ａ）実施例２及び（ｂ）実施例３の係合縁を示す底面から見た部分図である。
【図４】本発明による電気機器の取付装置の実施例４を底面から見た図である。
【図５】図１の電気機器をＤＩＮレールに取り付けたときの（ａ）正面から見た図、及び（ｂ）側面から見た図である。
【符号の説明】
【００２０】
電気機器１
ケース２
係合手段３
係合凹部３ａ
ばね４
係合手段５
係合凹部５ａ
傾斜縁５ｂ
ＤＩＮレール６
機器取付面６ａ
機器取付面６ｂ
ねじ７
配電盤８
孔８ａ
めねじ８ｂ
スライド防止板９
取付装置２０
機器取付面２１
盤取付面２２
孔２３
補強片２４
係合縁２５
係合縁２６
孔２７
回り止め片２８
ねじ２９
取付装置３２
係合縁３３
係合縁３４
【図１】
2006333644.tif 000003
【図２】
2006333644.tif 000004
【図３】
2006333644.tif 000005
【図４】
2006333644.tif 000006
【図５】
2006333644.tif 000007